(57)【特許請求の範囲】
【請求項１】
映像を正面に表示する表示部と、
該表示部の周縁部を覆い、前記表示部の正面の端部を覆う端部被覆部と、前記表示部の側部を覆う側部被覆部とを有する矩形状の枠体と、
板状をなし、前記端部被覆部と略平行に延び、前記枠体の背面側の部分に当接して該部分にネジ留めされる螺合部、前記表示部の側部に沿って背面側に延びる延設部、及び前記表示部の背面側に係止する係止部を有する固定部材と
を備える表示装置において、
前記固定部材は、前記枠体より硬い金属からなり、
前記枠体は、前記側部被覆部から内側に突出し、板状をなし、前記端部被覆部と略平行に延びる突出部を備え、
該突出部は、ネジを挿通する挿通孔と、該挿通孔と所定間隔を隔てて設けられ、前記螺合部を背面側から挿入することができる長さを有する挿入孔とを有し、
前記螺合部は雌ネジを有し、
前記螺合部の背面側における前記雌ネジの周縁部分が前記突出部の正面側における前記挿通孔の周縁部分に当接した状態で、ネジが前記挿通孔を挿通し前記螺合部の雌ネジに螺合してあることを特徴とする表示装置。
【請求項２】
前記螺合部に、前記挿入孔の側面に係止するストッパが設けられていることを特徴とする請求項１に記載の表示装置。
【請求項３】
前記螺合部は、長手方向の断面がコの字状をなすことを特徴とする請求項１又は２に記載の表示装置。
【請求項４】
前記螺合部は、長方形状をなす平板部と、該平板部の裏面に設けられ、該平板部を前記突出部へ向けて付勢するバネとを有することを特徴とする請求項１から３までのいずれか１項に記載の表示装置。
【請求項５】
前記係止部は、側面視がＬ字状をなすことを特徴とする請求項１から４までのいずれか１項に記載の表示装置。
【請求項６】
請求項１から５までのいずれか１項に記載の表示装置と、
テレビジョン放送を受信する受信部と
を備え、
前記受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示部と、表示部の周縁部を覆う矩形状の枠体とを備え、表示部の背面側に、係止部を有する固定部材の該係止部を係止した状態で固定部材を枠体に螺合することにより、表示部を枠体に固定する表示装置、及び該表示装置を備えるテレビジョン受信機に関する。
【背景技術】
【０００２】
近年、液晶表示装置等の表示装置を有する薄型のテレビジョン受信機（以下、ＴＶ受信機という）では大型化が進んでおり、５２型、６０型、７０型等の表示サイズの機種も増加している。表示装置は、映像を表示する表示面を前側に有する表示モジュールと、該表示モジュールの周縁部を取り囲む前キャビネットと、表示モジュールの後側を覆う後キャビネットとを備えている。表示サイズが大型化した場合、外観を形成するキャビネットも大型になるが、外形サイズは極力小型にしたいとの要望も強く、そのため、前キャビネットの額縁部分を狭くした狭額縁製品も発売されている。
【０００３】
図１９は、従来のＴＶ受信機６９を示す一部縦断面図である。図中、後キャビネットは省略している。
ＴＶ受信機６９は、表示モジュール２と、表示モジュール２の周縁部を覆う前キャビネット３と、前ベゼル１４と、後ベゼル１５とを備える。前キャビネット３は、横枠３０と縦枠（不図示）とを備える。
表示モジュール２は、液晶表示パネル（以下、表示パネルという）２１と、３枚の光学シート２２と、拡散板２３と、反射シート２４と、シャーシ２５とを備える。
【０００４】
反射シート２４は矩形状をなす平板部と、平板部の周縁から立ち上がる傾斜部と、傾斜部の端縁から張り出した縁部とを有する。
シャーシ２５は、例えば、金属板を成形してなる箱状をなし、矩形状をなす平板部２５ａ、該平板部２５ａの周縁から垂直に立ち上がるように形成されている枠部２５ｂ、枠部２５ｂの端から箱形の外側に平板部２５ａと略平行をなして張り出すように設けられた縁部２５ｃ、縁部２５ｃの端縁部から枠部２５ｂと略平行に張り出すように設けられた張出部２５ｄを有する。シャーシ２５の平板部には、複数のＬＥＤ基板が平板部の短手方向に並設されている（不図示）。
【０００５】
後ベゼル１５は枠状をなし、光学シート２２の周縁部を覆い、光学シート２２及び拡散板２３と、反射シート２４の縁部及びシャーシ２５の縁部２５ｃとを一体的に保持している。前ベゼル１４は、後ベゼル１５を収容することができる大きさの枠状をなし、表示パネル２１の周辺部分を覆い、さらに、後ベゼル１５により一体的に保持されている光学シート２２，拡散板２３，反射シート２４，シャーシ２５と、表示パネル２１とを一体的に保持する。
【０００６】
横枠３０は、表示モジュール２の正面の端部を覆う端部被覆部３１と、該端部被覆部３１に直角に連設され、表示モジュール２の側部を覆う側部被覆部３２と、端部被覆部３１の側部被覆部３２との境界部分側に設けられ、所定の長さを有する突起部３３とを備える。突起部３３の長手方向の中央部には雌ネジ３４が設けられている。
【０００７】
固定部材６０は、幅狭の板状に延びる螺合部６１と、該螺合部６１の長辺に直角に連設され、板状に延びる延設部６２と、該延設部６２に直角に連設された第１係止板部６３と、該第１係止板部６３に直角に連設された第２係止板部６４とを備える。螺合部６１の長手方向の中央部には、ネジ挿通孔６１ａが設けられている。
螺合部６１を突起部３３に当接し、第１係止板部６３の正面にシャーシ２５の張出部２５ｄの先端部が当接し、第２係止板部６４の先端部が縁部２５ｃの背面に当接し、すなわち固定部材６０がシャーシ２５に係止する状態で、ビス３５をネジ挿通孔６１ａに挿通して、雌ネジ３４にねじ込むことにより、表示モジュール２が横枠３０に固定される。
【０００８】
また、他の表示モジュールの前キャビネットへの固定構造として、特許文献１には、前キャビネットの外周部から後側へ突出した複数の可撓性の爪フックを備え、該爪フックによって前キャビネットを表示モジュールに固定する構造が開示されている。
【先行技術文献】
【特許文献】
【０００９】
【特許文献１】特開２００９−４２５３７号公報
【発明の概要】
【発明が解決しようとする課題】
【００１０】
近年、ＴＶ受信機の表示装置において、デザイン性及び狭額縁化を向上させるため、前キャビネットの材料としてアルミニウムを用いることが多くなっている。しかし、前キャビネットをアルミニウム製にした場合、プラスチック製の場合と比較して、形状の自由度が低い、ビス止めのためネジ孔を設けるタップ加工が後工程となるのでコストが高くなるという問題があった。
【００１１】
そして、上述したように、固定部材を介して表示モジュールを前キャビネットに固定しており、前キャビネットにビス孔（雌ネジ）を設けて締結する場合、固定部材の材料としてはステンレス鋼等が多く用いられており、前キャビネットがビスバカになり易いアルミニウム製であるとき、締め付け不良等による不良品が多く発生し、不良品が発生したときには前キャビネットを交換するため、Ｆコスト（不良品発生に対するコスト）が非常に高くなるという問題があった。
【００１２】
この対策としてビスのトルクを弱く設定した場合、トルクが他の部品のトルクと異なるため、固定部分のトルクと他の部品のトルクとを分けて管理する必要があり、生産性及び作業性が悪くなるという問題があった。また、ビスを長くしてビスバカになりにくくした場合、ＴＶ受信機のセット厚が厚くなるという問題があった。
また、従来のこの固定構造では前キャビネットにビス固定のための太い突起部３３等を要し、すなわち前キャビネットの断面が不均一となるので、押し出し速度を遅くする必要があり、生産性が低下するという問題があり、また厚肉部が凹んで生じるヒケが筋状に視認される、長手方向の反りの原因になる等の品質の悪化につながるという問題があった。
【００１３】
そして、特許文献１に係るＴＶ受信機においては、メンテナンス時に表示モジュールから前キャビネットを取り外し難いという問題があった。具体的には、前キャビネットから表示モジュールを取り外す場合、表示モジュールの周囲に引っ掛かっている複数の爪フックを順番に外していく必要があるが、作業途中で、取り外したフック爪が再び表示モジュールに引っ掛かってしまうことが多々あった。このため、複数の作業者で表示モジュールの取り外しを行ったり、一旦取り外したフック爪が再び表示モジュールに引っ掛からないように、楔のような部材をフック爪と、表示モジュールとの間に挟み込んだりする必要があった。この問題は、表示装置が大型化した場合、特に顕著であり、メンテナンス性が悪化する。
【００１４】
本発明は、斯かる事情に鑑みてなされたものであり、ビスの締め付け不良による不良品の発生が抑制され、生産性、作業性、及び保守管理性が良好であり、品質が良好であって狭額縁化及びセット厚の薄型化をを実現でき、安価に製造することができる表示装置、及び該表示装置を備えるテレビジョン受信機を提供することを目的とする。
【課題を解決するための手段】
【００１５】
本発明に係る表示装置は、映像を正面に表示する表示部と、該表示部の周縁部を覆い、前記表示部の正面の端部を覆う端部被覆部と、前記表示部の側部を覆う側部被覆部とを有する矩形状の枠体と、板状をなし、前記端部被覆部と略平行に延び、前記枠体の背面側の部分に当接して該部分にネジ留めされる螺合部、前記表示部の側部に沿って背面側に延びる延設部、及び前記表示部の背面側に係止する係止部を有する固定部材とを備える表示装置において、前記固定部材は、前記枠体より硬い金属からなり、前記枠体は、前記側部被覆部から内側に突出し、板状をなし、前記端部被覆部と略平行に延びる突出部を備え、該突出部は、ネジを挿通する挿通孔と、該挿通孔と所定間隔を隔てて設けられ、前記螺合部を背面側から挿入することができる長さを有する挿入孔とを有し、前記螺合部は雌ネジを有し、前記螺合部の背面側における前記雌ネジの周縁部分が前記突出部の正面側における前記挿通孔の周縁部分に当接した状態で、ネジが前記挿通孔を挿通し前記螺合部の雌ネジに螺合してあることを特徴とする。
【００１８】
本発明に係る表示装置は、前記螺合部に、前記挿入孔の側面に係止するストッパが設けられていることを特徴とする。
【００１９】
本発明に係る表示装置は、前記螺合部は、長手方向の断面がコの字状をなすことを特徴とする。
【００２０】
本発明に係る表示装置は、前記螺合部は、長方形状をなす平板部と、該平板部の裏面に設けられ、該平板部を前記突出部へ向けて付勢するバネとを有することを特徴とする。
【００２１】
本発明に係る表示装置は、前記係止部は、側面視がＬ字状をなすことを特徴とする。
【００２２】
本発明に係るテレビジョン受信機は、前述の表示装置と、テレビジョン放送を受信する受信部とを備え、前記受信部にて受信したテレビジョン放送に基づいて、前記表示装置に映像を表示するようにしてあることを特徴とする。
【発明の効果】
【００２３】
本発明によれば、枠体より硬い金属を使用する固定部材に雌ネジを設けるので、ビスバカ等の締め付け不良による不良品の発生が抑制され、例えビスバカが生じ、交換が必要になった場合でも、ビスバカになった固定部材のみを交換すればよく、交換コストを低下させ、Ｆコストを低下させることができる。そして、枠体の製造においてタップ加工を廃止することができるので、コストダウンを図ることができる。
さらに、ビスの長さを短くすることができ、固定部材を枠体側に近接させて配置することにより、セット厚を薄くすることができる。そして、枠体の厚肉化対策が不要になるので狭額縁化を実現することができる。
また、枠体の断面形状を均一化することができ、枠体の生産性が向上し、かつ体積が減少するため、材料費が減り、コストダウンを図ることができる。そして、外観に肉厚部の形状が映る等の外観不良が生じず、長手方向の反りも生じず、良好な品質を有する。
そして、固定部材がバネを有する場合、枠体の幅方向の寸法のバラツキを吸収することができ、枠体の幅が異なるテレビジョン受信機に対し、固定部材を共有することができる。
【図面の簡単な説明】
【００２４】
【図１】本発明の実施の形態１に係るＴＶ受信機の前側の外観斜視図である。
【図２】本発明の実施の形態１に係るＴＶ受信機の後キャビネットを外した状態を示す背面図である。
【図３】図２の一部拡大図である。
【図４】図３の部分の斜視図である。
【図５】後キャビネットを外した状態を示す一部縦断面図である。
【図６】前キャビネットを示す背面図である。
【図７】図６の一部拡大図である。
【図８】図７の部分の斜視図である。
【図９】連結体を示す斜視図である。
【図１０】連結体により横枠と縦枠とを連結した状態を示す斜視図である。
【図１１】固定部材を示す斜視図である。
【図１２】固定部材を示す正面図である。
【図１３】固定部材の横枠への取り付けを説明するための平面図である。
【図１４】固定部材の横枠への取り付けを説明するための側面図である。
【図１５】本発明の実施の形態２に係るＴＶ受信機を示す一部縦断面図である。
【図１６】本発明の実施の形態３に係る固定部材を示す斜視図である。
【図１７】固定部材を示す正面図である。
【図１８】固定部材の横枠への取り付けを説明するための側面図である。
【図１９】従来のＴＶ受信機を示す一部縦断面図である。
【発明を実施するための形態】
【００２５】
以下、本発明をその実施の形態を示す図面に基づいて具体的に説明する。
実施の形態１．
図１は本発明の実施の形態１に係るＴＶ受信機の前側の外観斜視図、図２は本発明の実施の形態１に係るＴＶ受信機１の後キャビネットを外した状態を示す背面図、図３は図２の一部拡大図、図４は図３の部分の斜視図、図５は後キャビネットを外した状態を示す一部縦断面図、図６は前キャビネットを示す背面図、図７は図６の一部拡大図、図８は図７の部分の斜視図である。
【００２６】
ＴＶ受信機１は、映像を表示する横長の表示モジュール２と、表示モジュール２内に配設してあり、アンテナ（不図示）から放送波を受信するチューナ１２と、表示モジュール２内に配設してあり、符号化された放送波を復号するデコーダ１３とを備える。ＴＶ受信機１は、チューナ１２にて受信した放送波をデコーダ１３で復号し、復号した情報に基づいて表示モジュール２に映像を表示する。ＴＶ受信機１の下部には、ＴＶ受信機１を支持するスタンド１７を設けてある。
【００２７】
表示モジュール２は、前側に表示面を有する横長の矩形状の表示パネル２１を備えている。表示パネル２１は、前後に縦姿勢で配置された前キャビネット３及び後キャビネット６に縦姿勢に収容されている。前キャビネット３は表示パネル２１の周縁部を覆う矩形状の枠体であり、中央に矩形の開口３ａを有する。前キャビネット３は例えばアルミニウム材からなる。後キャビネット６は、前側が開放された矩形のトレイ状をなし、例えば電気亜鉛めっき鋼鈑からなる。尚、前キャビネット３及び後キャビネット６は他の材料から構成してもよい。
前キャビネット３及び後キャビネット６の上下及び左右寸法は略同一であり、互いの周縁部分が対向する。表示パネル２１の上下及び左右寸法は、前キャビネット３の開口３ａよりも若干大きく、表示パネル２１の周縁部分は前キャビネット３の内縁部分と対向している。
【００２８】
図２に示すように、前キャビネット３は、表示モジュール２の正面の長辺側端部（縁部）及び側部を覆う一対の横枠４と、表示モジュール２の正面の短辺側端部（縁部）及び側部を覆う一対の縦枠５と、隣り合う横枠４と縦枠５との端部同士を連結する４つの連結体７とを備える。連結体７は例えばステンレス鋼からなる。
【００２９】
図６〜８に示すように、横枠４は、表示モジュール２の長辺に沿うように板状に延びる端部（縁部）被覆部４１と、該端部被覆部４１に直角をなすように連設され、表示モジュール２の側部に沿うように板状に延びる側部被覆部４２と、側部被覆部４２の内側の、端部被覆部４１寄りに、該端部被覆部４１と略平行に突設された板状の突出部４３とを備える。端部被覆部４１の幅は側部被覆部４２の幅より広く、突出部４３の幅は一例として端部被覆部４１の幅の略１／４の幅である。突出部４３の長手方向連結側の、内側端縁部には、所定長さの切欠き４３ａが設けられている。そして、切欠き４３ａから所定間隔を隔てて、長手方向中央部寄りに、切欠き４３ａより長さが長い切欠き４３ｄが設けられている。切欠き４３ｄは、後述する固定部材８の螺合部８１を挿入できる長さを有する。
また、切欠き４３ａと切欠き４３ｄとの間には、ネジ挿通孔４３ｃが設けられている。
【００３０】
縦枠５は、表示モジュール２の短辺に沿って板状に延びる端部（縁部）被覆部５１と、該端部被覆部５１に直角をなすように連設され、表示モジュール２の側部に沿って板状に延びる側部被覆部５２と、側部被覆部５２の内側の、端部被覆部５１寄りに、該端部被覆部５１と略平行に突設された板状の突出部５３とを備える。端部被覆部５１の幅は側部被覆部５２の幅より広く、突出部５３の幅は一例として端部被覆部５１の幅１／４の略の幅である。突出部５３の長手方向連結側の、内側端縁部には、２か所、幅狭の切欠き５３ａ，５３ａが設けられている。そして、長手方向中央部側の切欠き５３ａから所定間隔を隔てて、中央部寄りに、切欠き５３ａより長さが長い切欠き５３ｄが設けられている。切欠き５３ｄは、後述する固定部材８の螺合部８１を挿入できる長さを有する。
【００３１】
横枠４と縦枠５とは、それぞれの突出部４３，５３の端部の内側（ＴＶ受信機１の正面側）に、略Ｌ字状をなす連結体７の各辺を沿わせ、後述する連結体７の突起部７４が切欠き４３ａ、５３ａ，５３ａに係止された状態で、ビス１１により螺合されることにより連結され、前キャビネット３が得られる。連結体７の取り付け構造については後述する。
【００３２】
図２〜５に示すように、連結された横枠４及び縦枠５に、固定部材８により表示モジュール２が固定されている。固定部材８は例えばステンレス鋼からなる。
表示モジュール２は、表示パネル２１と、３枚の光学シート２２と、拡散板２３と、反射シート２４と、シャーシ２５とを備える。光学シート２２、拡散板２３、反射シート２４、及びシャーシ２５によりバックライトユニットが構成される。
【００３３】
反射シート２４は白色のシートであり、例えば、ＰＥＴ（ポリエチレンテレフタラート）、ＰＣ（ポリカーボネート）等の光反射性を有する樹脂材料により形成されている。反射シート２４は、矩形状をなす平板部と、平板部の周縁から立ち上がる傾斜部と、傾斜部の端縁から張り出した縁部とを有する。平板部は矩形状をなしている。
【００３４】
シャーシ２５は、例えば、金属板を成形してなる箱状をなし、矩形状をなす平板部２５ａ、該平板部２５ａの周縁から垂直に立ち上がるように形成されている枠部２５ｂ、枠部２５ｂの端縁部から箱形の外側に平板部２５ａと略平行に張り出すように設けられた縁部２５ｃ、及び縁部２５ｃの端縁部から枠部２５ｂと略平行に張り出すように設けられた張出部２５ｄを有する。
【００３５】
シャーシ２５の平板部２５ａには、複数のＬＥＤ基板が平板部の短手方向に並設されている（不図示）。各ＬＥＤ基板は、基板、ＬＥＤ、及びレンズを備える。基板は、細長い矩形状をなしている。基板には、複数のＬＥＤが長手方向に一列に実装されている。
なお、バックライトユニットの光源はＬＥＤに限定されるものではなく、冷陰極管等であってもよい。また、バックライトユニットは直下型方式に限定されるものではなく、エッジライト方式であってもよい。
【００３６】
表示パネル２１は、液晶層と、一対のガラス基板と、偏光板とを有する。一対のガラス基板はシール材を挟んで互いに貼り合わされており、その間に液晶層が挟持されている。そして、偏光板は、一対のガラス基板の液晶層側とは反対側の面上にそれぞれ配されている。
【００３７】
拡散板２３は矩形板状をなし、比較的厚肉であり、表示パネル２１側に対向する主面と、主面の反対面でシャーシ２５に対向する背面と、一対の長側面と、一対の短側面とを有する。そして、背面から拡散板２３内へ導入された光は、拡散されて拡散板２３の主面から表示パネル２１側に向かって出射する。
【００３８】
光学シート２２は、拡散シート、プリズムシート及びＤＢＥＦシート（反射型偏光シート）等を含むシート群であり、拡散板２３の主面上に載置されている。そして、この光学シート２２によって、拡散板２３の主面から出射された光の集光等が行われる。
【００３９】
後ベゼル１５は枠状をなし、光学シート２２の周縁部を覆い、光学シート２２及び拡散板２３と、反射シート２４の縁部及びシャーシ２５の縁部２５ｃとを一体的に保持している。前ベゼル１４は、後ベゼル１５を収容することができる大きさの枠状をなし、表示パネル２１の周辺部分を覆い、さらに、後ベゼル１５により一体的に保持されている光学シート２２，拡散板２３，反射シート２４，シャーシ２５と、表示パネル２１とを一体的に保持する。
【００４０】
固定部材８が、シャーシ２５の複数箇所の縁部２５ｃ及び張出部２５ｄに係止され、上側の横枠４、及び両方の縦枠５の複数箇所にビス１９を用いて螺合されることにより、シャーシ２５が前キャビネット３に固定される。固定部材８の詳細な取り付け構造については後述する。
【００４１】
まず、連結体７の取り付け構造について説明する。
図９は連結体７を示す斜視図、図１０は連結体７により横枠４と縦枠５とを連結した状態を示す斜視図である。
連結体７は、上述したようにＬ字状をなす。Ｌ字の各辺を構成する第１板部７１及び第２板部７２は幅狭の板状をなし、短手方向の両端部には、短い脚部が連設されている。すなわち、短手方向の断面がコの字状をなす。これにより、連結体７の強度が確保されるとともに軽量化が図られている。
【００４２】
連結体７のＬ字の角部には雌ネジ７３が設けられている。第１板部７１，第２板部７２には、角部の雌ネジ７３から少し先端部寄りにそれぞれ雌ネジ７３，７３が設けられ、さらに先端部に雌ネジ７３，７３が設けられている。雌ネジ７３は、第１板部７１及び第２板部７２の裏面にバーリング加工により、高さの低い円筒状のネジ止め部を設けた上で、第１板部７１及び第２板部７２の表面からネジ孔加工を施すことにより設けられている。
【００４３】
角部の雌ネジ７３に隣接する、第１板部７１，第２板部７２の雌ネジ７３の少し先端部寄りには、小円板状の突起部７４，７４が設けられ、第１板部７１，第２板部７２の先端側の雌ネジ７３の少し角部寄りにも同様に突起部７４，７４が設けられている。
連結体７の第１板部７１、第２板部７２において、角部の雌ネジ７３から、それぞれの先端側に向かって順に設けられている雌ネジ７３、突起部７４、突起部７４、雌ネジ７３への距離は同一にしてある。
【００４４】
図１０に示すように、縦枠５の突出部５３には、角部側の切欠き５３ａの少し角部側、及び下側の切欠き５３ａの少し下側に、ネジ挿通孔５３ｂ，５３ｂが設けられている。そして、横枠４の突出部４３には、角部側、及び少し先端側に、ネジ挿通孔４３ｂ，４３ｂが設けられている。
連結体７により横枠４と縦枠５とを連結する場合、まず、連結体７の第２板部７２の突起部７４，７４を突出部５３の切欠き５３ａ，５３ａに嵌め入れるようにして、第２板部７２を突出部５３と端部被覆部５１との間に挿入する。
そして、突起部７３，７３が切欠き５３ａ，５３ａに係止し、固定された（位置決めされた）状態で、ビス１１，１１を、ネジ挿通孔５３ｂ，５３ｂに挿通させ、第２板部７２の２個の雌ネジ７３，７３にねじ込むことにより、縦枠５と連結体７とが連結される。
【００４５】
次に、連結体７の第１板部７１の先端部側の突起部７４が突出部４３の切欠き４３ａの角部より離隔する側の側壁に当接し、角部側の突起部７４が切欠き４３ａの長手方向の側壁に当接する状態で、第１板部７１を突出部４３と端部被覆部４１との間に挿入する。
そして、突起部７４が切欠き４３ａに係止し、固定された（位置決めされた）状態で、ビス１１，１１を、ネジ挿通孔４３ｂ，４３ｂに挿通させ、角部及びこれに隣接する雌ネジ７３，７３にねじ込むことにより、横枠４と連結体７とが連結される。これにより横枠４と縦枠５とが連結される。
【００４６】
以下、固定部材８による表示モジュール２の前キャビネット３への取り付け構造について説明する。
図１１は固定部材８を示す斜視図、図１２は固定部材８を示す正面図、図１３は固定部材８の横枠４への取り付けを説明するための平面図、図１４は固定部材８の横枠４への取り付けを説明するための側面図である。図１３及び図１４において、表示モジュール２は省略している。
【００４７】
固定部材８は、幅狭の板状に延びる螺合部８１と、該螺合部８１の長辺に直角に連設され、板状に延びる延設部８２と、該延設部８２に直角に連設され、側面視がＬ字状をなす係止部８３とを備える。
螺合部８１は、平板部８１ａと、平板部８１ａの長手方向の両端部に設けられた脚部８１ｂ，８１ｃと、平板部８１ａの脚部８１ｃ側に設けられた切欠き８１ｄと、脚部８１ｃに山型状に突出するように設けられたストッパ８１ｅと、平板部８１ａの裏面の中央部にバーリング加工により設けられた高さの低い円筒状のネジ止め部８１ｆと、平板部８１ａの表面からネジ止め部８１ｆにかけてネジ孔加工により設けられた雌ネジ８１ｇとを備える。ストッパ８１ｅは切欠き８１ｃから、延設部８２の延びる方向と平行な方向に突出している。螺合部８１は長手方向の断面が略コの字状をなす。これにより強度を確保しつつ、固定部材８の軽量化が図られる。
【００４８】
延設部８２は、延設方向の中央部に切欠き８２ａが設けられている。これにより強度を確保しつつ、固定部材８の軽量化が図られる。
係止部８３は、延設部８２に連設された第１係止板部８３ａと、該第１当接部８３ａに直角に連設された第２係止板部８３ｂとを備える。
【００４９】
螺合部８１は、横枠４（又は縦枠５）の突出部４３（又は５３）に沿うように、突出部４３（又は５３）の外面（ＴＶ受信機１の正面側）と端部被覆部４１（又は５１）との間に挿入され、ビス１９により突出部４３（又は５３）に螺合される。このとき、延設部８２は表示モジュール２の側面に沿うように延び、第１係止板部８３ａは正面にシャーシ２５の張出部２５ｄの先端部が当接する状態で、縁部２５ｃに略平行に配され、第２係止板８３ｂは先端部が縁部２５ｃの背面に当接する状態で、枠部２５ｂと略平行に配される。
【００５０】
固定部材８を横枠４の突出部４３と端部被覆部４１との間に挿入する場合、表示モジュール２の配置後は直接挿入することはできないため、図１３及び図１４に示すように、まず、切欠き４３ｄの上方から切欠き４３ｄへ螺合部８１を挿入する。
そして、螺合部８１を、ストッパ８１ｅが切欠き４３ｄの角部側の側壁に係止されるまで、角部側へスライドさせ、螺合部８１を突出部４３と端部被覆部４１との間に挿入する。
【００５１】
ストッパ８１ｅにより固定部材８のスライドが規制され、固定部材８が固定された（位置決めされた）状態で、ビス１９を突出部４３のネジ挿通孔４３ｃに挿通させ、雌ネジ８１ｇにねじ込むことにより、固定部材８は突出部４３に固定される（図７参照）。このとき、図４及び図５に示すように、シャーシ２５の張出部２５ｄの先端部が係止部８３の第１係止板部８３ａの正面に当接し、シャーシ２５の縁部２５ｃの背面に係止部８３の第２係止板部８３ｂの先端部が当接している状態で、シャーシ２５が係止部８３に係止し、表示モジュール２が横枠４に固定されている。
【００５２】
固定部材８を縦枠５の突出部５３と端部被覆部５１との間に挿入する場合、上記と同様に、まず、切欠き５３ｄの上方から切欠き５３ｄへ螺合部８１を挿入する。
そして、螺合部８１を、ストッパ８１ｅが切欠き５３ｄの角部と反対側の側壁に係止されるまでスライドさせ、螺合部８１を突出部５３と端部被覆部５１との間に挿入する。
【００５３】
ストッパ８１ｅにより固定部材８のスライドは規制され、固定部材８が固定された（位置決めされた）状態で、ビス１９を突出部５３のネジ挿通孔５３ｃに挿通させ、雌ネジ８１ｇにねじ込むことにより、固定部材８は突出部５３に固定される（図７参照）。このとき、図５の構造と同様に、シャーシ２５の張出部２５ｄの先端部が係止部８３の第１係止板部８３ａに当接している状態で、シャーシ２５が係止部８３に係止し、表示モジュール２が縦枠５に固定されている。
【００５４】
図５に示すように、ビス１９は、ネジ挿通孔４３ｃを挿通し、螺合部８１に設けた雌ネジ８１ｇに締め付けられている。
図１９に示す従来のＴＶ受信機６９の固定構造においては、ビス３５の長さを長くする必要があったのに対し、図５に示す本実施の形態の固定構造においてはビス１９の長さを短くできることが分かる。従来の固定構造においては、アルミニウム等の柔らかい金属からなる横枠３０の端部被覆部３１にビス３５をねじ込むため、ビスバカになり易く、突起部３３の突出長を長くし、ビス３５の長さを長くしている。これに対し、本実施の形態においてはステンレス鋼等の硬い金属製の固定部材８にビス１９をねじ込むため、ビスバカになり難く、ビス１９の長さは、突出部４３及び平板部８１ａの厚みに、ビス止め部８１ｆ分の長さ、又はこれより少し突出する長さを加えたものであればよく、全体として短くすることができる。本実施の形態においては、ビス１９の長さを短くすることができ、固定部材８の螺合部８１を端部被覆部４１，５１側に近接させて配置するので、ＴＶ受信機１のセット厚を薄くすることができる。そして、ビスバカが発生した場合でも、サイズが小さく、安価である固定部材８のみを交換することで対応することができ、交換コストを低下させることができる。また、固定部分のトルク管理を一般的な金属製の他の部品のトルク管理と統一することができ、生産性及び作業性が向上する。
そして、前キャビネット３の製造においてタップ工程を廃止することができ、この観点からもコストダウンを図ることができる。
また、表示モジュール２の前キャビネット３への取り付けの作業性、保守管理性が良好である。
【００５５】
そして、従来の固定構造においては突起部３３等の根元が厚肉になっており、横枠３０及び縦枠の成形時に材料の流れが均一でなく、また横枠３０及び縦枠に反り及びヒケが発生しやすく、品質管理が難しく、押し出し速度を遅くする等し、生産性が低下していたのに対し、本実施の形態の固定構造においては、横枠４及び縦枠５に厚肉部を設けず、図５に示すように各部の厚みを均一にすることができるので、上記の問題がなくなり、生産性が向上し、安定した品質の前キャビネット３を得ることができる。加えて、材料費も抑えることができるため、歩留まりの改善も含めて横枠４及び縦枠５のコストを低く抑えることができ、ＴＶ受信機１全体のコストを低下させることができる。
さらに、本実施の形態においては厚肉化対策が不要になるので、端部被覆部４１，５１の幅を狭くすることができ、狭額縁化を図ることができる。
【００５６】
実施の形態２．
本発明の実施の形態２に係るＴＶ受信機６８は、シャーシ２５及び固定部材９の構造が異なること以外は、実施の形態１に係るＴＶ受信機１と同様の構成を有する。
図１５は、本発明の実施の形態２に係るＴＶ受信機６８を示す一部縦断面図である。図中、図５と同一部分は同一符号を付して詳細な説明を省略する。また、図１５において、光学シート２２、拡散板２３、反射シート２４、及び表示パネル２１，光学シート２２，拡散板２３の保持構造は省略している。
【００５７】
シャーシ２５は、例えば、金属板を成形してなる箱状をなし、矩形状をなす平板部２５ａと、該平板部２５ａの周縁から垂直に立ち上がるように形成されている枠部２５ｂと、枠部２５ｂの端縁部から箱形の外側に平板部２５ａと略平行に張り出すように設けられた縁部２５ｃと、縁部２５ｃの端縁部から外面側に枠部２５ｂと略平行に張り出すように設けられた張出部２５ｅと、張出部２５ｅに直角に連設され、端部被覆部４１に当接される当接部２５ｆとを備える。
【００５８】
固定部材９は、幅狭の板状に延びる螺合部９１と、該螺合部９１の長辺に直角に連設され、板状に延びる延設部９２と、該延設部９２に直角に連設された係止部９３とを備える。本実施の形態の係止部９３は、実施の形態１に係る係止部８３のようにＬ字状に第１係止板部８３ａと第２係止板部８３ｂとを連設したものではない。
螺合部９１は、螺合部８１と同様に、平板部９１ａと、平板部９１ａの長手方向の両端部に設けられた脚部と、平板部９１ａの一方の脚部側に設けられた切欠きと、該一方の脚部に山型状に突出するように設けられたストッパと、平板部９１ａの裏面の中央部にバーリング加工により設けられた高さの低い円筒状のネジ止め部９１ｆと、平板部９１ａの表面からネジ止め部９１ｆにかけてネジ孔加工により設けられた雌ネジ９１ｇとを備える。
【００５９】
本実施の形態においても、実施の形態１と同様に、固定部材９の螺合部９１を横枠４の切欠き４３ｄの上方から切欠き４３ｄへ挿入する。そして、螺合部９１を、ストッパが切欠き４３ｄの角部側の側壁に係止されるまで、角部側へスライドさせ、螺合部９１を突出部４３と端部被覆部４１との間に挿入する。
【００６０】
ストッパにより固定部材９のスライドが規制され、固定部材９が固定された（位置決めされた）状態で、ビス１９を突出部４３のネジ挿通孔４３ｃに挿通させ、雌ネジ９１ｇにねじ込むことにより、固定部材９は突出部４３に固定される。このとき、係止部９３はシャーシ２５の縁部２５ｃの張出部２５ｅ側の端部に係止されている。これにより、表示モジュール２が横枠４に固定される。
【００６１】
縦枠５においても、同様に、固定部材９により表示モジュール２が固定される。
そして、後キャビネット６が前キャビネット３に嵌合される。
【００６２】
本実施の形態においては、横枠４及び縦枠５より硬い金属を使用する固定部材９に雌ネジ９１ｇを設けているので、ビスバカ等の締め付け不良による不良品の発生が抑制され、例えビスバカが生じ、交換が必要になった場合でも、ビスバカになった固定部材９のみを交換すればよく、交換コストを低下させ、Ｆコストを低下させることができる。また、横枠４及び縦枠５のタップ工程が不要になり、断面形状を均一化できるので、横枠４及び縦枠５の生産性が向上し、かつ体積が減少するため、材料費が減少し、コストダウンを図ることができる。そして、外観に肉厚部の形状が映る、反りが生じる等の外観・品質の不良が抑制される。また、横枠４及び縦枠５の厚肉化対策が不要になるので、狭額縁化を図ることができるとともに、ビス１９の長さを短くすることができ、固定部材９の螺合部９１を端部被覆部４１，５１側に近接させて配置するので、ＴＶ受信機６８のセット厚を薄くすることができる。
【００６３】
実施の形態３．
本発明の実施の形態３に係るＴＶ受信機は、固定部材１８の構造が実施の形態１に係る固定部材８の構造と異なること以外は、実施の形態１に係るＴＶ受信機１と同様の構成を有する。
図１６は固定部材１８を示す斜視図、図１７は固定部材１８を示す正面図、図１８は固定部材１８の横枠４への取り付けを説明するための側面図である。図１８において、図１４と同一部分は同一符号を付して詳細な説明は省略する。また、表示モジュール２は省略している。
【００６４】
固定部材１８は、幅狭の板状に延びる螺合部１８１と、該螺合部１８１の長辺に直角に連設され、板状に延びる延設部１８２と、該延設部１８２に直角に連設され、側面視がＬ字状をなす係止部１８３とを備える。
螺合部１８１は、平板部１８１ａと、平板部１８１ａの裏面の中央部にバーリング加工により設けられた高さの低い円筒状のネジ止め部１８１ｂと、平板部１８１ａの一端部に山型状に突出するように設けられたストッパ１８１ｃと、平板部１８１ａの表面からネジ止め部１８１ｂにかけてネジ孔加工により設けられた雌ネジ１８１ｄとを備える。ストッパ１８１ｃは、延設部１８２の延びる方向と平行な方向に突出している。
平板部１８１ａには、下に凸になる状態で、板バネ１８１ｅが取り付けられている。
【００６５】
延設部１８２は、延設方向の中央部に切欠き１８２ａが設けられている。これにより強度を確保しつつ、固定部材８の軽量化が図られる。
係止部１８３は、延設部１８２に連設された第１係止板部１８３ａと、該第１係止板部１８３ａに直角に連設された第２係止板部１８３ｂとを備える。
【００６６】
螺合部１８１は、横枠４の突出部４３に沿うように、突出部４３の外面（ＴＶ受信機１の正面側）と端部被覆部４１との間に挿入する。このとき、表示モジュール２の配置後は直接挿入することはできないため、図１８に示すように、まず、切欠き４３ｄの上方から切欠き４３ｄへ螺合部１８１を挿入する。そして、螺合部１８１を、ストッパ１８１ｃが切欠き４３ｄの角部側の側壁に係止されるまで、角部側へスライドさせ、螺合部１８１を突出部４３と端部被覆部４１との間に挿入する。
【００６７】
平板部１８１ａと端部被覆部４１との間に板バネ１８１ｅが介在し、突出部４３へ向けての付勢力により平板部１８１ａは突出部４３に係止される。横枠４の幅寸法にバラツキがあり、すなわち突出部４３と端部被覆部４１との隙間にバラツキがある場合でも、板バネ１８１ｅによりバラツキが吸収された状態で、螺合部１８１は突出部４３に係止される。
【００６８】
ストッパ１８１ｃにより固定部材１８の横方向のスライドが規制されており、固定部材１８が固定された（位置決めされた）状態で、ビス１９を突出部４３のネジ挿通孔４３ｃに挿通させ、雌ネジ１８１ｄに締め付けることにより、固定部材１８は突出部４３に固定される（図７の構造と同様）。
このとき、延設部１８２は表示モジュール２の側面に沿うように延び、第１係止板部１８３ａは正面にシャーシ２５の張出部２５ｄの先端部が当接する状態で、縁部２５ｃに略平行に配され、第２係止板部１８３ｂは先端部が縁部２５ｃの背面に当接する状態で、枠部２５ｂと略平行に配される（図５の構造と同様）。
【００６９】
固定部材１８を縦枠５の突出部５３と端部被覆部５１との間に挿入する場合、上記と同様に、まず、切欠き５３ｄの上方から切欠き５３ｄへ螺合部１８１を挿入する。
そして、螺合部１８１を、ストッパ１８１ｃが切欠き５３ｄの角部と反対側の側壁に係止されるまでスライドさせ、螺合部１８１を突出部５３と端部被覆部５１との間に挿入する（図７の構造と同様）。平板部１８１ａと端部被覆部５１との間に板バネ１８１ｅが介在し、突出部５３へ向けての付勢力により平板部１８１ａは突出部５３に係止される。縦枠５の幅寸法にバラツキがあり、すなわち突出部５３と端部被覆部５１との隙間にバラツキがある場合でも、板バネ１８１ｅによりバラツキが吸収された状態で、螺合部１８１は突出部５３に係止される。
【００７０】
板バネ１８１ｅにより螺合部１８１が突出部５３に係止され、ストッパ１８１ｃにより固定部材１８の縦方向のスライドが規制され、固定部材１８が固定された（位置決めされた）状態で、ビス１９を突出部５３のネジ挿通孔５３ｃに挿通させ、雌ネジ１８１ｄに締め付けることにより、固定部材１８は突出部５３に固定される。このとき、図５の構造と同様に、シャーシ２５の張出部２５ｄの先端部が係止部１８３の第１係止板部１８３ａに当接している状態で、シャーシ２５が係止部１８３に係止し、表示モジュール２が縦枠５に固定される。
【００７１】
本実施の形態においては、固定部材１８が板バネ１８１ｅを有するので、上述したように、横枠４及び縦枠５の幅寸法のバラツキが吸収される。
そして、横枠及び縦枠の幅が異なるＴＶ受信機に対し、固定部材を共用することができ、製造コストを低減することができる。
なお、前記実施の形態においては、平板部１８１ａに板バネ１８１ｅを設けた場合につき説明しているがこれに限定されるものではない。コイルバネ等の他の種類のバネで、板バネ１８１ｅと同様の付勢力をもたらすものを用いることができる。
【００７２】
以上のように、本発明に係る表示装置は、映像を正面に表示する表示部（２）と、該表示部（２）の周縁部を覆う矩形状の枠体（３）と、該枠体（３）に螺合する螺合部（８１、９１、１８１）、前記表示部の側部に沿って背面側に延びる延設部（８２、９２、１８２）、及び前記表示部（２）の背面側に係止する係止部（８３、９３、１８３）を有する固定部材（８、９、１８）とを備える表示装置において、前記螺合部（８１、９１、１８１）に前記枠体（３）を螺合する雌ネジ（８１ｇ、９１ｇ、１８１ｄ）を設けてあることを特徴とする。
【００７３】
本発明においては、枠体（３）より硬い金属を使用する固定部材（８、９、１８）に雌ネジ（８１ｇ、９１ｇ、１８１ｄ）を設けることにより、ビスバカ等の締め付け不良による不良品の発生を抑制し、例えビスバカが生じ、交換が必要になった場合でも、ビスバカになった固定部材（８、９、１８）のみを交換すればよく、交換コスト（Ｆコスト）を低下させることができる。また、固定部分のトルク管理を一般的な金属製の他の部品のトルク管理と共通化させることができ、生産性及び作業性が向上する。
そして、枠体（３）の製造においてタップ工程を廃止することができ、コストダウンを図ることができる。
【００７４】
さらに、ビス（１９）の長さを短くすることができ、固定部材（８、９、１８）を枠体（３）側に近接させて配置することにより、セット厚を薄くすることができる。そして、枠体（３）の厚肉対策が不要になるので狭額縁化を実現することができる。
また、枠体（３）の断面形状を均一化することができ、枠体（３）の生産性が改善され、かつ体積が減少するため、材料費が減少し、コストダウンを図ることができる。そして、外観に肉厚部の形状が映る等の外観不良が生じず、長手方向の反りも生じず、良好な品質を有する。
そして、表示部（２）の枠体（３）への取り付けの作業性、保守管理性が良好である。
【００７５】
本発明に係る表示装置は、前記枠体（３）は、前記表示部（２）の前記正面の端部を覆う端部被覆部（４１、５１）と、前記表示部（２）の側部を覆う側部被覆部（４２、５２）とを有し、前記側部被覆部（４２、５２）の内側に、前記端部被覆部（４１、５１）と略平行に突出する突出部（４３、５３）が設けられ、該突出部（４３、５３）にネジ（１９）を挿通する挿通孔（４３ｃ、５３ｃ）が設けられ、前記突出部（４３、５３）と端部被覆部（４１、５１）との間に前記螺合部（８１、９１、１８１）を挿入して前記突出部（４３、５３）を前記螺合部（８１、９１、１８１）に螺合するように構成されていることを特徴とする。
【００７６】
本発明においては、前キャビネットの正背方向の厚み（セット厚）をより薄くすることができる。
【００７７】
本発明に係る表示装置は、前記突出部（４３、５３）に前記固定部材（８、９、１８）を挿入する挿入孔（４３ｄ、５３ｄ）が設けられ、該挿入孔（４３ｄ、５３ｄ）から前記固定部材（８、９、１８）を挿入し、前記突出部（４３、５３）に前記螺合部（８１、９１、１８１）を沿わせるように構成されていることを特徴とする。
【００７８】
本発明においては、固定部材（８、９、１８）を容易に枠体（３）に取り付けることができる。
【００７９】
本発明に係る表示装置は、前記螺合部（８１、９１、１８１）に、前記挿入孔（４３ｄ、５３ｄ）の側面に係止するストッパ（８１ｅ、１８１ｃ）が設けられていることを特徴とする。
【００８０】
本発明においては、枠体（３）を固定部材（８、９、１８）に固定して（位置決めして）ネジ止めすることができる。
【００８１】
本発明に係る表示装置は、前記螺合部（８１、９１）は、長手方向の断面がコの字状をなすことを特徴とする。
【００８２】
本発明においては、枠体（３）の強度を確保しつつ、軽量化を図ることができる。
【００８３】
本発明に係る表示装置は、前記螺合部（１８１）は、長方形状をなす平板部（１８１ａ）と、該平板部（１８１ａ）の裏面に設けられ、該平板部（１８１ａ）を前記突出部（４３、５３）へ向けて付勢するバネ（１８１ｅ）とを有することを特徴とする。
【００８４】
本発明においては、螺合部（１８１）がバネ（１８１ｅ）を有し、このバネ（１８１ｅ）が突出部（４３、５３）と端部被覆部（４１、５１）との間に介在するので、螺合部（１８１）は突出部（４３、５３）に良好に係止され、枠体（３）の幅寸法のバラツキが吸収される。
そして、枠体（３）の幅が異なるＴＶ受信機に対し、固定部材を共用することができ、製造コストを低減することができる。
【００８５】
本発明に係る表示装置は、前記係止部（８３、９３、１８３）は、側面視がＬ字状をなすことを特徴とする。
【００８６】
本発明においては、固定部材（８、９、１８）が表示部（２）に対してより確実に係止される。
【００８７】
本発明に係るテレビジョン受信機（１，６８）は、前述の表示装置と、テレビジョン放送を受信する受信部（１２）とを備え、前記受信部（１２）にて受信したテレビジョン放送に基づいて、前記表示装置に映像を表示するようにしてあることを特徴とする。
【００８８】
本発明によれば、テレビジョン放送に基づいて上述したいずれかの表示装置に映像が表示される。
【００８９】
今回開示した実施の形態は、全ての点で例示であって、制限的なものではないと考えられるべきである。本発明の範囲は、特許請求の範囲内での全ての変更及び特許請求の範囲と均等の範囲が含まれることが意図される。例えば固定部材８、９の構成は実施の形態１及び２において説明した構成に限定されるものではない。また、前キャビネット３が横枠４と縦枠５とを連結体７により連結してなる場合に限定されるものではない。
【符号の説明】
【００９０】
１、６８  ＴＶ受信機
２  表示モジュール（表示部）
２１  表示パネル
２２  光学シート
２３  拡散板
２４  反射シート
２５  シャーシ
３  前キャビネット（枠体）
４  横枠（枠部材）
４１、５１  端部被覆部
４２、５２  側部被覆部
４３、５３  突出部
４３ａ、５３ａ、４３ｄ、５３ｄ  切欠き
４３ｂ、４３ｃ、５３ｂ、５３ｃ  ネジ挿通孔
５  縦枠
６  後キャビネット
７  連結体
７１  第１板部
７２  第２板部
７３  雌ネジ
７４  突起部
８、９、１８  固定部材
８１、９１、１８１  螺合部
８１ａ、９１ａ、１８１ａ  平板部
８１ｂ、８１ｃ  脚部
８１ｄ  切欠き
８１ｅ、１８１ｃ  ストッパ
８１ｆ、９１ｆ、１８１ｂ  ネジ止め部
８１ｇ、９１ｇ、１８１ｄ  雌ネジ
１８１ｅ  板バネ
１２  チューナ
１３  デコーダ
【図１】
0005432399.tif 000002
【図２】
0005432399.tif 000003
【図３】
0005432399.tif 000004
【図４】
0005432399.tif 000005
【図５】
0005432399.tif 000006
【図６】
0005432399.tif 000007
【図７】
0005432399.tif 000008
【図８】
0005432399.tif 000009
【図９】
0005432399.tif 000010
【図１０】
0005432399.tif 000011
【図１１】
0005432399.tif 000012
【図１２】
0005432399.tif 000013
【図１３】
0005432399.tif 000014
【図１４】
0005432399.tif 000015
【図１５】
0005432399.tif 000016
【図１６】
0005432399.tif 000017
【図１７】
0005432399.tif 000018
【図１８】
0005432399.tif 000019
【図１９】
0005432399.tif 000020